(57)【要約】【課題】動作中に、電力を供給する必要のある外部機器が接続されたとしても動作不良の発生する恐れのないプリンタを提供する。【解決手段】ＵＳＢ＿ＣＴＬ１０１の電力供給の出力のオン、オフを、ＣＰＵ１００により制御する。ＣＰＵ１００がＭＥＭＯＲＹ１００Ａ内のプログラムにしたがってこのプリンタ１のプリント動作を制御している最中にこのプリンタのＵＳＢＩ／Ｆ１６にケーブルが接続されたときには、ＣＰＵ１００は、ＵＳＢ＿ＣＴＬ１０１に指示して電力供給の出力をオフする。プリント動作が終了したら、その後、ＵＳＢ＿ＣＴＬ１０１の電力供給の出力のオンに切り替えてＵＳＢ側からのデータ送信も待ち受ける。【選択図】図２
2007007912.tif 000002
【特許請求の範囲】
【請求項１】
所定の電圧を出力して外部機器に伝えることによって外部機器側で通信線が接続されたことを認識する規格に準拠した有線通信を行なって、該外部機器から送信された印刷データを受信する第１の通信部と、
前記第１の通信部で受信した印刷データのデータ処理を担う演算部と、
前記演算部でデータ処理の行われた印刷データに基づく画像をプリント出力するプリント部と備え、
前記第１の通信部が、前記演算部の指示を受けて前記所定の電圧の出力のオン、オフを切り替える通信許否手段を備えたことを特徴とするプリンタ。
【請求項２】
前記第１の通信部とは別に、第２の外部機器から送信された印刷データを受信する第２の通信部を備え、
前記通信許可否手段は、少なくとも、前記第２の通信部による通信期間中は、前記所定の電圧の出力をオフに保つものであることを特徴とする請求項１記載のプリンタ。
【請求項３】
前記第１の通信部がＵＳＢ規格に準拠した有線通信を行なう通信部であることを特徴とする請求項１又は２記載のプリンタ。
【請求項４】
前記第２の通信部が赤外線通信を行なう通信部であることを特徴とする請求項２記載のプリンタ。
【発明の詳細な説明】
【技術分野】
【０００１】
所定の電圧を出力して外部機器に伝えることによって外部機器側で通信線が配設されたことを認識する規格に準拠した有線通信を行なってその外部機器から送信された印刷データを受信する通信部を備えたプリンタに関する。
【背景技術】
【０００２】
最近の携帯機器等においては外部機器からのデータの受信、また外部機器へのデータの送信が行えるようにと様々な通信規格に準拠した通信インターフェース（以降Ｉ／Ｆ）を備えているものが多い。このように多数の通信Ｉ／Ｆを備えるとなると、各Ｉ／Ｆを通して同一の処理内容（例えばサービスの提供）を要求する指示が一度に送られてきて携帯機器内部で競合が発生することがあるため、携帯機器側では交通整理のようなことを行わなければならなくなる。例えば特許文献１のものでは、伝送管理モジュールに各ポートとサービスとのサポート対応を示すテーブルを設けて各ポートにそれぞれ個別のサービスを割り当てるようなことを行って競合の発生を防止するようなことが行われている。
【０００３】
また、近年においては次々と様々な通信規格（例えば、ＩＥＥＥ８０２シリーズやＩＥＥＥ１３９４等）が発表されてきており、それらの通信規格が発表される度に発表された通信規格に対応するＩ／Ｆを携帯機器などに新たに配備しなければならない。
【０００４】
そこで、通信規格に対応するコントローラのみを別構成にしておいて、新たな通信規格が発表されてもその通信専用コントローラ側を変更するだけで済むようにしてコスト高になることを防止するようにしているものもある（例えば特許文献２参照）。
【０００５】
ところで、デジタルカメラとプリンタとを接続ケーブルにより接続するだけですぐにプリントが行なえるようにとＰｉｃｔＢｒｉｄｇｅという規格が提案されている。このＰｉｃｔＢｒｉｄｇｅという規格は、Ｕｎｉｖｅｒｓａｌ  Ｓｅｒｉａｌ  Ｂｕｓ（ＵＳＢ：登録商標）というシリアル通信規格を用いてデジタルカメラとプリンタとの間の接続を簡単に行えるようにしようとするものである。
【０００６】
上記ＵＳＢは登録商標ではあるが以降の説明においてはこのＰｉｃｔＢｒｉｄｇｅという規格を説明するための用語としてＵＳＢという単語をＵｎｉｖｅｒｓａｌ  Ｓｅｒｉａｌ  Ｂｕｓの略語として用いてＵＳＢ規格であるとか、ＵＳＢＩ／Ｆであるとか、ＵＳＢケーブルであるとかという風に記載する。
【０００７】
このＵＳＢ規格対応のプリンタは既に多数市場に投入されており、そのプリンタを用いるとデジタルカメラで撮影した画像をその場でプリント出力してプリント写真を得ることができる。
【０００８】
このＵＳＢ規格の内容に少し触れておく。
【０００９】
このＵＳＢ規格にはホストとスレーブという主従関係があり、ホスト（主）側になった機器からスレーブ（従）側の機器に電力を供給することによりスレーブ側にホストに正しく接続されたことを検出させるようにしている。このため、プリンタ側をホストにしようとすると、プリンタ側を、デジタルカメラがＵＳＢケーブルを介して接続されたときに自動的にデジタルカメラ側に電力を供給するような構成にしておかなければならない。
【００１０】
しかし、デジタルカメラが接続されたと同時にプリンタ側からデジタルカメラに自動的に電力を供給するようにしておくと、ＵＳＢケーブルの接続時にプリンタが動作中であった場合にはプリンタ側の電力供給源である電池の出力電圧および出力電流が大きく変動してプリンタ側に動作不良が発生する恐れが出てくる。
【特許文献１】特開２００３−３２３３９０号公報
【特許文献２】特開２００３−３１２０９３号公報
【発明の開示】
【発明が解決しようとする課題】
【００１１】
そこで上記事情に鑑みて、動作中に、電力を供給する必要のある外部機器が接続されたとしても動作不良の発生する恐れのないプリンタを提供することを目的とする。
【課題を解決するための手段】
【００１２】
上記目的を達成する本発明のプリンタは、所定の電圧を出力して外部機器に伝えることによって外部機器側で通信線が接続されたことを認識する規格に準拠した有線通信を行なって、その外部機器から送信された印刷データを受信する第１の通信部と、
上記第１の通信部で受信した印刷データのデータ処理を担う演算部と、
上記演算部でデータ処理の行われた印刷データに基づく画像をプリント出力するプリント部と備え、
上記第１の通信部が、上記演算部の指示を受けて上記所定の電圧の出力のオン、オフを切り替える通信許否手段を備えたことを特徴とする。
【００１３】
上記本発明のプリンタによれば、上記第１の通信部が上記外部機器側に所定の電圧を供給するかどうかが、上記演算部により判定され、その演算部の指示に応じて上記通信許否手段により上記所定の電圧の出力のオン、オフが切り替えられる。
【００１４】
前述の如く、もしもこのプリンタが動作状態にあるときに上記第１の通信部が上記外部機器側に所定の電圧を供給することができるようにと上記通信許否手段が上記所定の電圧の出力を自動的にオン側に切り替えてしまうと、外部機器に電力を供給したことによりこのプリンタが動作不良に陥ってしまう恐れがある。そこで上記通信許否手段を設けてこのプリンタの印刷データのデータ処理を担っている上記演算手段の指示に応じて上記通信許否手段が、このプリンタが動作状態（つまり演算手段で印刷データの処理が行なわれている）にあった場合においては上記外部機器への所定の電圧の出力をオフ側に切り替えて電力を供給しないように工夫している。このようにしておくと、プリンタ内部の電力供給源の出力が変動するといったことがなく、例えば上記プリント部によるプリント出力動作中に第１の通信部から電力が供給されることがなくなるのでプリント出力動作が非常に安定する。
【００１５】
さらにその安定したプリンタ出力動作が終了した後、上記演算部の指示にしたがって上記通信許否手段が所定の電圧の出力をオン側に切り替えるようにすれば、外部機器側に電力を供給して新たな印刷データの送信に備えることもできる。
【００１６】
すなわち、動作中に、電力を供給する必要のある外部機器が接続されたとしても動作不良の発生する恐れのないプリンタが実現される。
【００１７】
上記第１の通信部とは別に、第２の外部機器から送信された印刷データを受信する第２の通信部を備え、
上記通信許可否手段は、少なくとも、上記第２の通信部による通信期間中は、上記所定の電圧の出力をオフに保つものであることが好ましい。
【００１８】
このプリンタが複数の通信部を備えたものであって、しかもその中の一つが上記第１の通信部であるとすると、上記第１の通信部以外の通信部、例えば上記第２の通信部が通信動作中である場合も、上記プリント部がプリント動作中であるときと同様のことが言える。
【００１９】
つまり上記第２の通信部による通信期間中においても、上記通信許否手段により上記所定の電圧の出力をオフ側に切り替えることによって外部機器への電力を供給しないようにすることでプリンタ内部の安定動作が確保される。
【００２０】
上記第１の通信部がＵＳＢ規格に準拠した有線通信を行なう通信部であって、上記第２の通信部が赤外線通信を行なう通信部であっても良い。また上記第１の通信部はＩＥＥＥ１３９４規格に準拠したものであっても、さらに上記第２の通信部がＢｌｕｅｔｏｏｔｈ（登録商標）のような通信規格に準拠するものであっても良い。
【発明の効果】
【００２１】
以上、説明したように、動作中に、電力を供給する必要のある外部機器が接続されたとしても動作不良の発生する恐れのないプリンタが実現される。
【発明を実施するための最良の形態】
【００２２】
以下図面を参照して本発明の実施の形態を説明する。
【００２３】
図１は、本発明の一実施形態であるプリンタの外観を示す図である。
【００２４】
図１に示すプリンタ１は可搬型であって携帯電話もしくはデジタルカメラとこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００２５】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。また、赤外線通信により携帯電話機２００から送信されてきた印刷データを受光するとともに、携帯電話に向けてデータの送信を行なうインターフェース（Ｉ／Ｆ）になる送受光素子１５が携帯電話をこのプリンタに対向させ易い位置、ここでは筐体１ａの端部に配備されている。さらにこのプリンタ１の側面側にはデジタルカメラとＵＳＢケーブルにより接続された場合にデジタルカメラ側から送信されてくる印刷データここでは被写体を表わす画像データを受信することができるようになるＰｉｃｔＢｒｉｄｇｅ対応のＵＳＢＩ／Ｆ１６も配備されている。
【００２６】
プリントＳＷ１２は、記録媒体への画像の記録が終了した後、その記録が終了した画像と同じ画像を再記録する場合に操作されるものであり、プリントデータ補正ＳＷ１３は、記録媒体に記録される画像の濃淡（Ｄａｒｋｅｎ  ｏｒ  Ｌｉｇｈｔｅｎ）を調節するためのものであり、このプリントデータ補正ＳＷ１３がＤａｒｋｅｎ側に切り替えられるとその画像データに基づく画像の全体のトーンがやや暗くなった画像がインスタントフィルムシート上に記録され、Ｌｉｇｈｔｅｎ側に切り替えられると全体のトーンがやや明るくなった画像がインスタントフィルムシート上に記録される。このプリントデータ補正ＳＷ１３が操作された後、プリントＳＷ１２が操作されると、同じ構図の写真でありながら異なった趣の写真が得られる。
【００２７】
このプリンタ１では、赤外線通信（またはＵＳＢ通信）により外部から送信されてきた画像データをこのプリンタ１により取得したら、その取得した画像データに基づく潜像の記録が露光によりインスタントフィルムシート上に行なわれ図１に示すようにその潜像が記録されたインスタントフィルムシート１００１が顕像化されながら、プリンタ１外部へ排出される。その後プリントＳＷ１２が操作されたときにも、その画像と同じ画像の再記録が別のインスタントフィルムシート上に行なわれ図１に示すようにインスタントフィルムシート１００１が排出される。
【００２８】
ここで、図２を参照してプリンタ内部のＵＳＢＩ／Ｆ１６の構成を説明する。
【００２９】
図２は、プリンタ内のＵＳＢＩ／Ｆ１６を有する通信部と本発明にいう演算部であるＣＰＵとの係わりを示す図である。
【００３０】
図２に示すように制御部であるＣＰＵ１００とそのＣＰＵ１００が処理を行なう手順を記したプログラムが格納されているＭＥＭＯＲＹ１００Ａと、上記ＵＳＢＩ／Ｆ１５とそのＵＳＢＩ／Ｆ１５の動作を制御するＵＳＢコントローラ（ＵＳＢ＿ＣＴＬ）１０１と、赤外線通信Ｉ／Ｆ１５とその赤外線通信の動作を制御する通信コントローラ１０２とがバス１０３により接続されている。
【００３１】
例えば赤外線通信Ｉ／Ｆである受光素子１５に外部から画像データが送信されてきている最中に、ＵＳＢＩ／Ｆ１６が接続されたとすると赤外線通信の受信処理中にデジタルカメラ側に電力の供給を開始することになってしまう。つまり、赤外線通信の受信処理中にＵＳＢケーブルを介してデジタルカメラが接続されると、プリンタの電力供給源である電池からプリンタ内部のプリント部（不図示）に電力を供給するとともにデジタルカメラ３００にも電力の供給を行わなければならなくなるため、デジタルカメラ３００が新たに負荷に加わることによってプリンタ側の電池の出力が変動してしまう恐れが出てくる。このようなときに電池から見た負荷があまり大きく変動すると、電池からの電力供給不足などがプリント部側に瞬時に現われるようなことが起きてプリント出力動作が不安定状態になってしまうことがあり、最悪の場合には動作停止状態に至ってしまう。そこでここではプリント部（不図示）がプリント出力動作中である場合や上記赤外線通信による画像データの受信処理中である場合を含んでこのプリンタが動作中であった場合には、ＣＰＵ１００の制御の基、デジタルカメラ３００側に電力の供給をしないようにしている。本実施形態においては、本発明にいう第１の通信部がＵＳＢ＿ＣＴＬ１０１とＵＳＢＩ／Ｆ１６にあたり、本発明にいう第２の通信部が、その他のＩ／Ｆ１５と通信  Ｉ／Ｆ  ＣＴＬ１０２にあたり、ここではその第２の通信部が赤外線通信部になる。
【００３２】
図３は、ＵＳＢ＿ＣＴＬ１０１内部の構成の詳細を説明する図である。
【００３３】
本実施形態においては、プリンタがホストになるので、プリンタ側にＶＢＵＳ信号発生ブロック１０１１が配備されている。
【００３４】
まず簡単にＵＳＢついてその規格の概要を説明しておく。
【００３５】
図３に示すコネクタ１６が図２に示すＵＳＢＩ／Ｆ１６に対応する。ホスト側とスレーブ側とではコネクタ形状が変わり、ホスト側であることがそのコネクタの形状ですぐに分かるようになっている。このコネクタ１６は４つのピンを有しており、その４つのピンのうちの２つのピンがデータ伝送（差動伝送）用のピンになり、また、残りの２つのピンが電力供給用のピン（ＶＢＵＳピン，ＧＮＤピン）になる。このＧＮＤ（基準電位点）に対する所定の電圧がＶＢＵＳピンを介してスレーブ側になるデジタルカメラ側に供給されることになる。
【００３６】
また、図２に示すＵＳＢ＿ＣＴＬ１０１は、ＶＢＵＳピンを通してデジタルカメラ３００に電力を供給するための、ホスト側に配備されるＶＢＵＳ信号発生ブロック１０１１と、ＵＳＢコントローラデバイス１０１０とを備えている。そのＶＢＵＳ信号発生ブロック１０１１にはこのＶＢＵＳ信号発生ブロック１０１０の所定の電圧の出力のオン・オフを制御するための信号が外部から供給されてきたときにその制御信号を受け取る制御端子ＣＮＴが備えられている。この制御端子ＣＮＴにハイ（Ｈ）信号が供給されるとＶＢＵＳ信号発生ブロックの出力がオフする。
【００３７】
また、図示はしないが、このＶＢＵＳ信号発生ブロック部内部１０１１には、出力電流モニタが内蔵されており、その出力電流モニタにより過電流が検出されたときには上記ＵＳＢコントローラ１０１０に対して警告を発するための出力端子（Ｐｒｏｔｅｃｔ）も設けられている。この出力端子ｐｒｏｔｅｃｔから警告を発するための信号が出力されてきたことを受けてＵＳＢコントローラデバイス１０１０はハイ信号を出力する。
【００３８】
図３には、その電流モニタにより過電流が検出されたことを受けてＵＳＢコントローラデバイス１０１０からハイ（Ｈ）信号が供給されてくるか、あるいはＣＰＵ１００側からＵＳＢ通信許可信号が供給されたとしてハイ（Ｈ）信号が供給されてきたときに出力をオフする構成であることが論理回路のオアにより示されている。
【００３９】
このＶＢＵＳ信号発生ブロック１０１１が、本発明にいう通信信号許否部にあたり、ＣＰＵ１００が演算部にあたる。
【００４０】
前述したように上記電力の供給がプリンタ側の例えばプリント部（不図示）のプリント出力中になされた場合には、プリンタ内部の電池の出力電圧や出力電流が大きく変動してデジタルカメラ側の状態によっては最悪、プリント出力動作が中断してしまう恐れがある。具体的にいうと図１に示すようにインスタントフィルムシート１００１が出力されている最中にもしもＵＳＢケーブルが接続されたとするとインタントフィルムシート１００１の出力が中断してしまうようなことが起こり得る。
【００４１】
そこで、本実施形態のプリンタでは、プリンタ内部が動作中（例えばプリント部がプリント出力中であるとか、赤外線通信部が受信中であるとか）であった場合には、ＣＰＵ１００からＵＳＢ＿ＣＴＬ１０１に対してＨ信号を供給するようにしてデジタルカメラ３００への電力の供給を差し控えさせるようにしている。
【００４２】
図４は、ＣＰＵ１００により行われるシーケンス制御を説明する図である。
【００４３】
図４は、スケジューラの機能を持つＣＰＵが、プリンタのシーケンスを制御しているときのシーケンス図である。
【００４４】
図４に示すように電源が投入されるとセット初期化が行われる。ここでＩＲＤＡによりデータが送信されてきたら受光素子によりその画像データを受信し（図中Ａ期間）、次に受信した画像データのデータ処理を行って（図中Ｂ期間）、最後にプリント部にプリント出力させている（図中Ｃ期間）。
【００４５】
本実施形態のプリンタによれば、例えばＡ期間、Ｂ期間、Ｃ期間どの期間にＵＳＢケーブルが接続されると、プリンタ内の赤外線通信部やプリント部に電力が供給されるほか、デジタルカメラにも電力が供給されるようになってしまうため、それぞれの処理動作が不安定になるということが予め把握されている。そこで本実施形態においては、すべてのシーケンス処理が終了した後、Ｄ地点になったときに初めてデジタルカメラ３００に電力を供給するようにして、各処理動作においては安定した動作が得られるようにしている。このようにしておくと、送受信中（Ａ期間中）、データ処理中（Ｂ期間中）、プリント動作中（Ｃ期間中）のいずれのときにもデジタルカメラに電力が供給されることがなくなり、送受信動作、データ処理動作、プリント出力動作のいずれも不安定動作になるというようなことがなくなり、安定動作が約束される。
【００４６】
すなわち、動作中に、電力を供給する必要のある外部機器が接続されたとしても動作不良の発生する恐れのないプリンタが実現される。
【００４７】
なお、本実施形態においては所定の電圧を出力して外部機器に伝えることによって外部機器側で通信線が接続されたことを認識する規格としてＵＳＢ規格を掲げたが、勿論、ＩＥＥＥ１３９４等の規格においても本発明が適用されることは言うまでもない。
【００４８】
また、上記実施形態のプリンタでは、本発明にいう印刷データとしてデジタルカメラで撮影した被写体を表わす画像データを例に挙げて説明したが、本発明にいう印刷データは被写体を表わすような画像データに限定されるものではなく、文字や記号等を表わす画像データであっても良い。
【図面の簡単な説明】
【００４９】
【図１】本発明の一実施形態であるプリンタの外観を示す図である。
【図２】プリンタ内のＵＳＢＩ／Ｆを有する通信部と赤外線Ｉ／Ｆを有する通信部と制御部との係わりを示す図である。
【図３】ＵＳＢ通信部の構成の詳細を説明する図である。
【図４】ＣＰＵが行なう、画像データの送信を受けてからプリント出力を行うまでのシーケンス動作を説明する図である。
【符号の説明】
【００５０】
１  プリンタ
１ａ  筐体
１０    各種スイッチ
１１    電源ＳＷ
１２    プリントＳＷ
１３    プリントデータ補正ＳＷ
１４    ＬＣＤパネル
１５    受光部
１６    ＵＳＢＩ／Ｆ
１００１    インスタントフィルムシート
２００    カメラ付き携帯電話
３００    デジタルカメラ
【図１】
2007007912.tif 000003
【図２】
2007007912.tif 000004
【図３】
2007007912.tif 000005
【図４】
2007007912.tif 000006